(57)【要約】【課題】観察対象の標本の特徴を取得するために最適なシステム環境を自動的に設定すること。【解決手段】本発明のある実施の形態において、顕微鏡観察システム１は、顕微鏡を用いて標本を観察する観察部３と、観察部３の動作を制御する観察システム制御部５と、標本の属性を示す属性値に応じて定められた特性データを属性値毎に記憶する特性データ記憶部７とを備える。そして、観察システム制御部５において、特性データ選択部５４２は、特性データ記憶部７に記憶された特性データの中から、染色標本属性指定部５４１によって指定された観察染色標本の属性値に応じた少なくとも１つの特性データを選択する。そして、特性データ解析部５４３は、選択された特性データを解析し、システム環境設定部５４４は、解析結果をもとに観察染色標本を観察する際の観察部３の動作環境を設定するためのシステムパラメータを設定する。【選択図】図２
2010181833.tif 000002
【特許請求の範囲】
【請求項１】
顕微鏡を用いて標本を観察する観察部と、
前記観察部の動作を制御する観察システム制御部と、
前記標本の属性を示す属性値に応じて定められた特性データを前記属性値毎に記憶する特性データ記憶部と、
を備え、
前記観察システム制御部は、
観察対象の標本の属性値を指定する標本属性指定部と、
前記特性データ記憶部に記憶された特性データの中から、前記標本属性指定部によって指定された属性値に応じた少なくとも１つの特性データを選択する特性データ選択部と、
前記特性データ選択部によって選択された特性データを解析する特性データ解析部と、
前記特性データ解析部による解析結果をもとに、前記観察対象の標本を観察する際の前記観察部の動作環境を設定するためのシステムパラメータを設定するシステム環境設定部と、
を備えることを特徴とする顕微鏡観察システム。
【請求項２】
前記観察部は、
前記顕微鏡で構成される標本観察部と、
前記標本を撮像する標本画像撮像部と、
を備え、
前記システム環境設定部は、前記標本観察部の動作環境を設定するための観察パラメータおよび／または前記標本画像撮像部の動作環境を設定するための撮像パラメータを前記システムパラメータとして設定することを特徴とする請求項１に記載の顕微鏡観察システム。
【請求項３】
前記標本画像撮像部は、撮像する波長または波長帯域を選択可能に構成されたマルチバンドカメラで構成され、
前記システム環境設定部は、前記撮像する波長または波長帯域を前記撮像パラメータとして設定することを特徴とする請求項２に記載の顕微鏡観察システム。
【請求項４】
前記特性データは、前記属性値毎に予め測定された分光特性情報を含み、
前記特性データ解析部は、前記選択された特性データの分光特性情報をもとに、前記観察対象の標本についての特徴波長を決定し、
前記システム環境設定部は、前記特徴波長をもとに前記撮像する波長または波長帯域を設定することを特徴とする請求項３に記載の顕微鏡観察システム。
【請求項５】
前記システム環境設定部は、前記撮像する波長または波長帯域をもとに、前記マルチバンドカメラの露光時間を前記撮像パラメータとして設定することを特徴とする請求項４に記載の顕微鏡観察システム。
【請求項６】
前記特性データは、前記属性値毎に予め設定された観察倍率、焦点位置、および絞りの少なくともいずれか１つを含み、
前記システム環境設定部は、前記選択された特性データをもとに、前記顕微鏡の観察倍率、焦点位置および絞りの少なくともいずれか１つを前記観察パラメータとして設定することを特徴とする請求項２に記載の顕微鏡観察システム。
【請求項７】
前記観察システム制御部は、前記システム環境設定部によって設定されたシステムパラメータに従って前記標本画像撮像部が撮像した標本画像から、注目対象の領域を抽出する注目対象抽出部を備えることを特徴とする請求項２に記載の顕微鏡観察システム。
【請求項８】
前記注目対象抽出部は、前記標本画像内における前記注目対象の領域を識別可能に表して表示部に表示処理することを特徴とする請求項７に記載の顕微鏡観察システム。
【請求項９】
前記標本は所定の色素によって染色された生体組織標本であり、
前記標本に関する属性は、前記生体組織標本に施された染色の種類、前記生体組織標本を採取した臓器、前記生体組織標本中の注目対象の組織および前記生体組織標本に染色を施した施設の各属性項目を含むことを特徴とする請求項７に記載の顕微鏡観察システム。
【請求項１０】
前記注目対象抽出部は、前記標本属性指定部によって前記観察対象の標本の属性値として指定された前記注目対象の組織が映る領域を前記注目対象の領域として抽出し、前記標本画像内において前記注目対象の組織が映る領域を識別表示した仮想特殊染色画像を作成することを特徴とする請求項９に記載の顕微鏡観察システム。
【請求項１１】
前記標本属性指定部は、前記注目対象の組織として２以上の組織を指定し、
前記注目対象抽出部は、前記標本属性指定部によって指定された２以上の注目対象の組織が映る領域をそれぞれ前記注目対象の領域として抽出し、前記標本画像内における前記２以上の注目対象の組織の領域のうちの１つを選択的に識別表示して前記仮想特殊染色画像を作成することを特徴とする請求項９に記載の顕微鏡観察システム。
【発明の詳細な説明】
【技術分野】
【０００１】
本発明は、顕微鏡を備えた顕微鏡観察システムに関する。
【背景技術】
【０００２】
生体組織標本、特に病理標本では、臓器摘出によって得たブロック標本や針生検によって得た標本を数μｍ程度に薄切りした後、様々な所見を得るために顕微鏡を用いて拡大観察することが広く行われている。中でも、光学顕微鏡を用いた透過観察は、機材が比較的安価で取り扱いが容易である上、歴史的に古くから行われてきたこともあって、最も普及している観察方法の１つである。この場合、薄切りされた生体標本は、光をほとんど吸収および散乱せず、無色透明に近いため、観察に先立って色素による染色を施すのが一般的である。
【０００３】
染色手法としては種々のものが提案されており、その総数は１００種類以上にも達するが、特に病理標本に関しては、色素として青紫色のヘマトキシリンと赤色のエオジンとの２つを用いるヘマトキシリン−エオジン染色（以下、「ＨＥ染色」と呼ぶ。）が標準的に用いられている。
【０００４】
Ｈ＆Ｅ染色された病理標本（以下、「染色標本」と呼ぶ。）に対する診断では、病理医は、観察したい組織の形状や分布を総合的に判断する。場合によっては、病理標本にＨ＆Ｅ染色とは異なる特殊染色を施し、観察したい組織の色を変えて視覚的に強調する手法が臨床的に用いられている。この特殊染色は、例えば、Ｈ＆Ｅ染色では確認が難しい組織を観察する場合や、癌の進行によって観察したい組織の形態が崩れて視認が難しい場合等に用いられる。しかしながら、特殊染色を施す場合、臨床現場でのコストや作業工程を増加させてしまうという問題があった。また、染色状態によっては、染色が不十分で視認性が改善されず、観察したい組織の特定が困難な場合もあった。
【０００５】
このため、実際に特殊染色を施すことなく、画像処理によって組織を特定しようとする試みが提案されている（例えば特許文献１を参照）。この特許文献１では、顕微鏡光学系による病理標本の観察像をマルチバンド撮像し、得られたマルチバンド画像をもとに病理標本のスペクトル（分光透過率）を推定している。そして、推定した分光透過率から病理標本の色素量を推定し、色素量分布から核と細胞質の分布を取得してこれらの分布比をもとに癌部位を推定している。
【０００６】
ところで、マルチバンド画像は、マルチバンドカメラを用い、バンドを切り換えながら染色標本を撮像することで得られる。ここで、バンドを切り換える際には、切り換えるバンドに応じてマルチバンドカメラの設定を変更する必要がある。例えば、特許文献２には、マルチバンドカメラの設定に必要なパラメータを予めバンド毎に記憶しておき、バンドを切り換える際に対応するパラメータを読み出して必要な設定を自動的に行う技術が開示されている。
【０００７】
【特許文献１】特開２００４−２８６６６６号公報
【特許文献２】特許第４１１２４６９号公報
【発明の開示】
【発明が解決しようとする課題】
【０００８】
特許文献１の技術を適用すれば、染色標本をマルチバンド撮像することによって推定した染色標本のスペクトル特徴をもとに、色の違いからは判別が困難な組織や、染色状態等の影響を受けて視認が困難な組織の判別が可能である。しかしながら、実際には、染色の種類や採取した臓器、観察したい組織、染色を施した施設等の染色標本毎に個別に定まる属性値によって特徴的なスペクトルの帯域やその帯域幅が異なる。このため、観察対象の染色標本の属性値に応じて、場合によっては複数の属性値の組み合わせに応じて顕微鏡やマルチバンドカメラの動作環境（システム環境）を設定する必要があり、特許文献２のように事前にパラメータを設定しておくのは難しい。
【０００９】
本発明は、上記に鑑みてなされたものであって、観察対象の標本の特徴を取得するために最適なシステム環境を自動的に設定することができる顕微鏡観察システムを提供することを目的とする。
【課題を解決するための手段】
【００１０】
上記した課題を解決し、目的を達成するための、本発明のある態様にかかる顕微鏡観察システムは、顕微鏡を用いて標本を観察する観察部と、前記観察部の動作を制御する観察システム制御部と、前記標本の属性を示す属性値に応じて定められた特性データを前記属性値毎に記憶する特性データ記憶部と、を備え、前記観察システム制御部は、観察対象の標本の属性値を指定する標本属性指定部と、前記特性データ記憶部に記憶された特性データの中から、前記標本属性指定部によって指定された属性値に応じた少なくとも１つの特性データを選択する特性データ選択部と、前記特性データ選択部によって選択された特性データを解析する特性データ解析部と、前記特性データ解析部による解析結果をもとに、前記観察対象の標本を観察する際の前記観察部の動作環境を設定するためのシステムパラメータを設定するシステム環境設定部と、を備えることを特徴とする。
【００１１】
この態様にかかる顕微鏡観察システムによれば、標本の属性を示す属性値に応じて定められた特性データを属性値毎に記憶しておき、観察対象の標本の属性値に応じた特性データを選択することができる。そして、選択した特性データの解析結果をもとに、観察対象の標本を観察する際の観察部の動作環境を設定するためのシステムパラメータを設定することができる。したがって、観察対象の標本の特徴を取得するために最適なシステム環境を自動的に設定することができる。
【発明の効果】
【００１２】
本発明によれば、観察対象の標本の特徴を取得するために最適なシステム環境を自動的に設定することができる。
【発明を実施するための最良の形態】
【００１３】
以下、図面を参照し、本発明の好適な実施の形態について詳細に説明する。本実施の形態では、Ｈ＆Ｅ染色された病理標本である染色標本を被写体とし、この染色標本をマルチバンド撮像して観察する顕微鏡観察システムについて説明する。なお、この実施の形態によって本発明が限定されるものではない。また、図面の記載において、同一部分には同一の符号を付して示している。
【００１４】
（実施の形態１）
図１は、実施の形態１の顕微鏡観察システム１の全体構成を説明する模式図である。また、図２は、顕微鏡観察システム１の機能構成を示すブロック図である。実施の形態１の顕微鏡観察システム１は、観察部３と、観察システム制御部５と、特性データ記憶部７とを備え、これらの間がデータの授受可能に接続されて構成されている。
【００１５】
観察部３は、染色標本を観察するための染色標本観察部３１と、染色標本画像を撮像するための染色標本画像撮像部３３とを備える。
【００１６】
染色標本観察部３１は、染色標本を透過観察可能な顕微鏡で構成され、照明光を射出する光源や対物レンズ、観察対象の染色標本（以下、観察対象の染色標本を「観察染色標本」と呼ぶ。）を載置して対物レンズの光軸方向およびこの光軸方向と垂直な面内を移動する電動ステージ、電動ステージ上の観察染色標本を透過照明するための照明光学系、対物レンズ、観察染色標本の観察像を結像させるための観察光学系等を備える。この染色標本観察部３１は、照明光学系によって光源からの照明光を観察染色標本に照射するとともに、対物レンズと協働し、観察光学系によって観察染色標本の観察像を結像させる。
【００１７】
染色標本画像撮像部３３は、観察染色標本の観察像をマルチバンド撮像するマルチバンドカメラで構成され、例えば、チューナブルフィルタや二次元ＣＣＤカメラ、チューナブルフィルタを透過する光の波長を調整するフィルタ制御器、二次元ＣＣＤカメラを制御するカメラ制御器等で構成される。この染色標本画像撮像部３３は、染色標本観察部３１によって観察される観察染色標本の観察像をチューナブルフィルタを介して二次元ＣＣＤカメラの撮像素子上に投影し、染色標本画像として撮像する。チューナブルフィルタは、透過光の波長を電気的に調整可能なフィルタであって、実施の形態１では、１〔ｎｍ〕以上の任意の幅（以下、「選択波長幅」と呼ぶ。）の波長帯域を選択可能なものを用いる。例えば、ケンブリッジリサーチアンドインストルメンテーション社製の液晶チューナブルフィルタ「ＶａｒｉＳｐｅｃ（バリスペック）」等、市販のものを適宜用いることができる。この染色標本画像撮像部３３によって、染色標本画像はマルチバンド画像として得られる。ここで、染色標本画像の画素値は、チューナブルフィルタによって任意に選択した波長帯域における光の強度に相当し、観察染色標本の各点について選択した波長帯域の画素値が得られる。なお、観察染色標本の各点とは、投影された撮像素子の各画素に対応する観察染色標本上の各点のことであり、以下では、観察染色標本上の各点が染色標本画像の各画素位置に対応しているものとする。
【００１８】
以上、染色標本画像撮像部３３の構成としてチューナブルフィルタを用いた構成を例示したが、これに限定されるものではなく、観察染色標本の各点における光の強度情報が取得できればよい。例えば、特開平７−１２０３２４号公報に開示されている撮像方式を用い、所定枚数（例えば１６枚）のバンドパスフィルタをフィルタホイールで回転させて切り替えながら、面順次方式で観察染色標本をマルチバンド撮像する構成としてもよい。
【００１９】
また、観察システム制御部５は、観察部３の染色標本画像撮像部３３によって撮像された染色標本画像を医師等が観察・診断するためのものであり、ワークステーションやパソコン等の汎用コンピュータで実現される。この観察システム制御部５は、観察部３を構成する染色標本観察部３１および染色標本画像撮像部３３に対する動作指示を行い、染色標本画像撮像部３３から入力される染色標本画像を処理してディスプレイに表示する。
【００２０】
この観察システム制御部５は、図２に示すように、操作部５１と、表示部５２と、処理部５４と、記憶部５５とを備える。
【００２１】
操作部５１は、例えば、キーボードやマウス、タッチパネル、各種スイッチ等によって実現されるものであり、操作入力に応じた操作信号を処理部５４に出力する。表示部５２は、ＬＣＤやＥＬディスプレイ等のフラットパネルディスプレイ、あるいはＣＲＴディスプレイ等の表示装置によって実現されるものであり、処理部５４から入力される表示信号に従って各種画面を表示する。
【００２２】
処理部５４は、ＣＰＵ等のハードウェアによって実現される。この処理部５４は、操作部５１から入力される操作信号や観察部３の染色標本画像撮像部３３から入力される染色標本画像の画像データ、記憶部５５に記憶されるプログラムやデータ等をもとに観察システム制御部５を構成する各部への指示やデータの転送等を行い、あるいは観察部３の染色標本観察部３１や染色標本画像撮像部３３に対する各種動作指示を行って、顕微鏡観察システム１全体の動作を統括的に制御する。
【００２３】
この処理部５４は、染色標本属性指定部５４１と、特性データ選択部５４２と、特性データ解析部５４３と、システム環境設定部５４４と、注目対象抽出部５４５とを含む。
【００２４】
染色標本属性指定部５４１は、観察染色標本の属性を示す属性値をユーザ操作に従って指定する。ここでは、染色標本の属性（以下、染色標本の属性を「染色標本属性」と呼ぶ。）を、染色種類、臓器、注目対象組織および施設の４つの属性項目で構成されることとし、染色標本属性指定部５４１は、観察染色標本に関するこれら４つの属性項目の属性値をユーザ操作に従って指定する。また、実施の形態１では、ユーザは、この観察染色標本の染色標本属性の指定と併せて、その観察染色標本を観察する際の顕微鏡（染色標本観察部３１）の観察倍率を指定するようになっている。
【００２５】
特性データ選択部５４２は、染色標本属性指定部５４１によって指定された染色標本属性をもとに、特性データ記憶部７に記憶されている特性データの中から１つ以上の特性データを選択する。
【００２６】
特性データ解析部５４３は、特性データ選択部５４２によって選択された１つ以上の特性データをもとに、観察染色標本、より詳細には注目対象組織について特徴的な波長を特徴波長として決定する。
【００２７】
システム環境設定部５４４は、特性データ解析部５４３によって決定された特徴波長を含む所定幅の波長帯域に対して感度が向上するように、観察部３の動作環境（システム環境）を設定するためのシステムパラメータを設定する。例えば、システム環境設定部５４４は、染色標本観察部３１の動作環境を設定するための観察パラメータと、染色標本画像撮像部３３の動作環境を設定するための撮像パラメータとをシステムパラメータとして設定する。
【００２８】
注目対象抽出部５４５は、観察部３の染色標本画像撮像部３３が撮像した染色標本画像を画像処理し、この染色標本画像から注目対象組織が映る領域を抽出する。
【００２９】
記憶部５５は、更新記憶可能なフラッシュメモリ等のＲＯＭやＲＡＭといった各種ＩＣメモリ、内蔵あるいはデータ通信端子で接続されたハードディスク、ＣＤ−ＲＯＭ等の情報記憶媒体およびその読取装置等によって実現されるものである。この記憶部５５には、観察システム制御部５を動作させ、この観察システム制御部５が備える種々の機能を実現するためのプログラムや、このプログラムの実行中に使用されるデータ等が記憶される。また、記憶部５５には、観察システム制御プログラム５５１が記憶される。この観察システム制御プログラム５５１は、観察染色標本の染色標本属性をもとにシステムパラメータを設定して観察部３の動作を制御し、染色標本画像を取得する処理を実現するためのプログラムである。
【００３０】
また、特性データ記憶部７は、染色標本属性の各属性項目の属性値に応じた特性データを記憶する。この特性データ記憶部７は、例えばネットワークを介して観察システム制御部５と接続されるデータベース装置で実現され、観察システム制御部５とは離れた別の場所に設置されて特性データを記憶し、特性データを管理する。なお、この特性データは、観察システム制御部５の記憶部５５に記憶しておく構成としてもよい。
【００３１】
図３〜図５は、特性データ記憶部７に記憶される特性データのデータ構成例を説明する図である。ここで、図３は、特性データ記憶部７において、属性項目の１つである染色種類と関連付けられて記憶される特性データの一覧を示している。また、図４は、特性データ記憶部７において、属性項目の１つである注目対象組織と関連付けられて記憶される特性データの一覧を示している。また、図５は、特性データ記憶部７において、属性項目の１つである施設と関連付けられて記憶される特性データの一覧を示している。図３〜図５に示した属性項目毎の特性データの関連付けは、例えば公知のデータベース管理ツールを用いて管理される。ただし、特性データのデータ構成はこれに限定されるものではなく、各属性項目の属性値を指定することによってその属性値に応じた特性データを取得可能な構成であればよい。
【００３２】
具体的には、特性データ記憶部７には、図３に示すように、染色種類についての特性データとして、その属性値毎に、属性項目の１つである施設と、観察パラメータである観察倍率と、測定日付と、観察分光特性とが関連付けられて記憶される。この染色種類と関連付けられる観察分光特性（データセットＡ−０１〜−０６，・・・）は、対応する染色種類の染色色素について予め測定した分光特性データ（スペクトルデータ）であって、対応する医療施設で、対応する観察倍率で、対応する測定日に測定した分光特性データを記憶する。ここで、観察分光特性は、光に対する物質の特性を表し、例えば、分光透過率や吸光度、分光反射率等のスペクトル特徴値を用いることができる。
【００３３】
また、特性データ記憶部７には、図４に示すように、注目対象組織についての特性データとして、その属性値毎に、属性項目である染色種類、施設および臓器と、観察パラメータである焦点位置および絞りと、測定日付と、観察分光特性とが関連付けられて記憶される。この注目対象組織と関連付けられる観察分光特性（データセットＢ−０１〜Ｂ−０９，・・・）は、対応する臓器の注目対象組織について予め測定した分光特性であって、対応する医療施設で、対応する焦点位置および絞りで、対応する測定日に測定した分光特性データを記憶する。なお、図４では、注目対象組織の一例として、弾性線維と膠原線維とが挙げられているが、この他、細胞質や核等の医師が観察・診断時に注目する注目対象組織についての分光特性が予め測定され、特性データ記憶部７に記憶される。
【００３４】
また、特性データ記憶部７には、図５に示すように、施設についての特性データとして、その属性値毎に、属性項目である染色種類および臓器と、観察パラメータである観察倍率と、測定日付と、白色画像信号値、照明分光特性およびカメラ分光特性の各システム分光特性とが関連付けられて記憶される。この施設と関連付けられるシステム分光特性は、対応する施設で測定されたシステムに関する分光特性データを記憶する。詳細には、白色画像信号値（データセットＣ−０１〜Ｃ−０５，・・・）は、組織が存在していない領域を撮像した画像信号値であって、対応する観察倍率で、対応する測定日に測定された画像信号値を記憶する。また、照明光分光特性（データセットＣ−１１〜Ｃ−１５，・・・）は、対応する観察倍率で、対応する測定日に分光計等を用いて測定された染色標本観察部３１の照明の分光特性である。また、カメラ分光特性（データセットＣ−２１〜Ｃ−２５，・・・）は、対応する観察倍率で、対応する測定日に測定された染色標本画像撮像部３３のカメラ（二次元ＣＣＤカメラ）の分光特性である。
【００３５】
なお、線維領域や位相物体等について特殊撮影を行う場合に対応し、例えばＮＡ値やデフォーカス量、光量といった観察パラメータが異なる条件で分光特性を測定し、測定時の条件と対応付けて特性データ記憶部７に記憶しておくこととしてもよい。また、施設によっては、染色過程や染色に用いる試薬等が異なる場合がある。このような場合に対応し、施設毎に対応する条件で分光特性を測定し、測定時の条件と対応付けて特性データ記憶部７に記憶しておくこととしてもよい。
【００３６】
図６は、実施の形態１の観察システム制御部５が行う処理手順を示すフローチャートである。なお、ここで説明する処理は、記憶部５５に記憶された観察システム制御プログラム５５１に従って観察システム制御部５の各部が動作することによって実現される。
【００３７】
先ず、染色標本属性指定部５４１が、染色標本属性指定画面を表示部５２に表示して染色標本属性の指定依頼を通知する処理を行い、操作部５１を介してユーザによる染色標本属性および観察倍率の指定操作を受け付ける（ステップａ１）。
【００３８】
図７は、実施の形態１における染色標本属性指定画面の一例を示す図である。図７に示す染色標本属性指定画面には、染色種類、臓器、注目対象組織および施設の４つの属性項目の属性値を指定するためのスピンボックスＢ１１〜Ｂ１４、観察倍率を指定するためのスピンボックスＢ１５、これらの各スピンボックスでの操作を確定するＯＫボタンＢＴＮ１１、操作をキャンセルするキャンセルボタンＢＴＮ１２等が配置されている。各スピンボックスＢ１１〜Ｂ１４は、該当する属性項目について指定可能な属性値の一覧を選択肢として提示し、指定操作を受け付けるものあり、特性データ記憶部７に記憶されている各属性項目の属性値が選択肢として提示される。例えば、染色種類を指定するためのスピンボックスＢ１１では、図３〜図５に例示したＨＥ染色やＶＢ染色、オルセイン染色、ＭＴ染色、ＤＡＢ染色等の染色種類の属性値と、該当する属性値が含まれない場合に指定する「その他」の各選択肢が提示される。臓器、注目対象組織および施設の各スピンボックスＢ１２〜Ｂ１４も同様に、特性データ記憶部７に記憶されている属性値や、「その他」の各選択肢が提示される。また、スピンボックスＢ１５は、観察倍率の値として指定可能な値を選択肢として提示し、選択を促すものであり、特性データ記憶部７に記憶されている観察倍率の値が選択肢として提示される。
【００３９】
この染色標本属性指定画面においてユーザは、染色種類として、観察染色標本に施されている染色の種類を指定する。また、ユーザは、臓器として、その観察染色標本が採取された臓器を指定する。また、ユーザは、その観察染色標本を観察・診断する際に注目する注目対象の組織（注目対象組織）を指定する。また、ユーザは、施設として、例えばその観察染色標本を採取した医療施設を指定する。また、ユーザは、これら４つの染色標本属性とともに、観察倍率を指定する。
【００４０】
また、染色標本属性指定画面には、メモ欄Ｍ１１が配置されており、例えばその染色標本を作成した日付や、その染色標本を観察・診断した日付といった事項をユーザが自由に記入できるようになっている。
【００４１】
染色標本属性の属性値が指定されたならば、続いて図６に示すように、特性データ選択部５４２が、特性データ記憶部７を参照し、指定された染色標本属性の属性値に応じた１つ以上の特性データを選択する（ステップａ３）。続いて特性データ解析部５４３が、ステップａ３で選択された特性データをもとに、先ず特徴波長候補決定処理を行い（ステップａ４）、続いて特徴波長決定処理を行って（ステップａ５）、注目対象組織の特徴波長を決定する。続いてシステム環境設定部５４４が、ステップａ５で決定された特徴波長をもとに、システムパラメータ（観察パラメータおよび撮像パラメータ）を設定する（ステップａ７）。システム環境設定部５４４は、設定したシステムパラメータを染色標本観察部３１および染色標本画像撮像部３３に出力して各部に対する動作指示を行う。この結果、観察部３は、システム環境設定部５４４が設定したシステムパラメータに従って動作し、染色標本の観察像をマルチバンド撮像して染色標本画像を取得する（ステップａ９）。そして、注目対象抽出部５４５が注目対象組織抽出処理を行い、染色標本画像を画像処理して染色標本画像中の注目対象組織が映る領域を抽出する（ステップａ１１）。抽出手法については、公知の手法を適用することができる。
【００４２】
ここで、図７の染色標本属性指定画面においてユーザが、染色種類を「ＨＥ染色」、臓器を「腎臓」、注目対象組織を「弾性線維」、施設を「Ａ病院」、観察倍率を「２０倍」として指定した場合を例にとり、ステップａ３〜ステップａ１１の各処理を詳細に説明する。
【００４３】
先ず、図６のステップａ３について説明する。例示した条件の場合、特性データ選択部５４２は、特性データ記憶部７を参照し、図３に示した染色種類についての特性データの中から、染色種類が「ＨＥ染色」であり施設が「Ａ病院」であり観察倍率が「２０倍」であるレコードＲ１１，Ｒ１２を選択し、対応する観察分光特性のデータセットＡ−０１，Ａ−０３を取得する。また、特性データ選択部５４２は、図４に示した注目対象組織についての特性データの中から、注目対象組織が「弾性線維」であり染色種類が「ＨＥ染色」であり施設が「Ａ病院」であり臓器が「腎臓」であるレコードＲ２１〜Ｒ２３を選択し、対応する観察分光特性のデータセットＢ−０１，Ｂ−０２，Ｂ−０３を取得する。また、特性データ選択部５４２は、図５に示した施設についての特性データの中から、施設が「Ａ病院」であり染色種類が「ＨＥ染色」であり臓器が「腎臓」であり観察倍率が「２０倍」であるレコードＲ３１を選択し、対応するシステム分光特性のデータセットＣ−０１，Ｃ−１１，Ｃ−２１を取得する。取得した観察分光特性のデータセットＡ−０１，Ａ−０３，Ｂ−０１，Ｂ−０２，Ｂ−０３およびシステム分光特性（白色画像信号値、照明分光特性およびカメラ分光特性）のデータセットＣ−０１，Ｃ−１１，Ｃ−２１は、染色標本属性指定画面において指定された各属性項目の属性値および観察倍率の値とともに記憶部５５に記憶しておく。
【００４４】
続いて、図６のステップａ４の特徴波長候補決定処理について説明する。この特徴波長候補決定処理では、特性データ解析部５４３は、前述のようにして取得された観察分光特性（データセット）をもとに、注目対象組織の特徴波長候補Ｃλ（ｉ）（ｉ＝１，２，３，・・・，ｎ）を決定する。実施の形態１では、例えば、観察分光特性の各波長間変化率をもとに、波長間変化率が所定の閾値を超えた波長を特徴波長候補とする。図８は、特徴波長候補決定処理の詳細な処理手順を示すフローチャートである。
【００４５】
図８に示すように、先ず、特性データ解析部５４３は、図６のステップａ３で選択した特性データの観察分光特性（データセット）を読み出して取得する（ステップｂ１１）。続いて、特性データ解析部５４３は、取得した観察分光特性の各波長間変化率ｒ（λ）を算出する（ステップｂ１３）。波長間変化率ｒ（λ）は、波長λにおける観察分光特性をＡ（λ）、波長間隔をα〔ｎｍ〕とすると、次式（１）で表される。ここでの処理によって、取得された各データセットＡ−０１，Ａ−０３，Ｂ−０１，Ｂ−０２，Ｂ−０３の各観察分光特性それぞれの各波長間変化率ｒ（λ）が算出される。
【数１】
2010181833.tif 000003
【００４６】
続いて、特性データ解析部５４３は、特徴波長候補を決定するための閾値Ｔｈを算出する（ステップｂ１５）。先ず、特性データ解析部５４３は、波長間変化率平均Ｅと、観察分光特性の標準偏差ｓｔｄとを算出する。ここで、最小波長をλMIN、波長数をＳnum、観察分光特性の平均をａｖｅとすると、波長間変化率平均Ｅは次式（２）で表され、観察分光特性の標準偏差ｓｔｄは次式（３）で表される。
【数２】
2010181833.tif 000004
【００４７】
ただし、波長数Ｓnumは、次式（４）で表される。λMAXは最大波長を表す。
【数３】
2010181833.tif 000005
【００４８】
そして、特性データ解析部５４３は、次式（５）に従って閾値Ｔｈを算出する。ｋは、任意に設定される係数である。
Ｔｈ＝Ｅ＋ｋ×ｓｔｄ      ・・・（５）
【００４９】
続いて、特性データ解析部５４３は、ステップｂ１３で算出した観察分光特性の各波長間変化率ｒ（λ）をステップｂ１５で算出した閾値Ｔｈを用いて順次閾値処理する。そして、特性データ解析部５４３は、波長間変化率ｒ（λ）が閾値Ｔｈよりも大きい場合に（ステップｂ１７：Ｙｅｓ）、その閾値Ｔｈよりも大きい波長間変化率ｒ（λ）を算出した２つの波長（λ＋α，λ）を特徴波長候補Ｃλ（ｉ）とする（ステップｂ１９）。全ての波長間変化率ｒ（λ）について閾値処理したならば、図６のステップａ４にリターンし、その後ステップａ５に移行する。ここでの処理によって、各データセットＡ−０１，Ａ−０３，Ｂ−０１，Ｂ−０２，Ｂ−０３の各観察分光特性それぞれについて算出した各波長間変化率ｒ（λ）のうち、閾値Ｔｈ以上である波長間変化率ｒ（λ）を算出した２つの波長λ＋α，λがそれぞれ特徴波長候補Ｃλ（ｉ）として決定される。
【００５０】
続いて、図６のステップａ５の特徴波長決定処理について説明する。この特徴波長決定処理では、特性データ解析部５４３は、ステップａ４で決定された特徴波長候補Ｃλ（ｉ）の中から特徴波長を決定する。染色色素によってどの組織が優先的に染色されるか（染色され易いか）は物理化学的に決まっている。このため、注目対象組織と染色色素との関係（具体的には、注目対象組織を優先的に染色する染色色素および注目対象組織を染色しない染色色素）に従って、特徴波長Ｋλ（ｉ）（ｉ＝１，２，３，・・・，ｎ）を決定する。図９は、特徴波長決定処理の詳細な処理手順を示すフローチャートである。
【００５１】
ここで、染色種類についての観察分光特性（ここではデータセットＡ−０１，Ａ−０３）は、対応する染色色素（ここでは色素Ｈ，Ｅ）の特性を示しているが、これらのうち、注目対象組織を優先的に染色する染色色素についての観察分光特性から得られた特徴波長候補をＤ1λ（ｋ）（ｋ＝１，２，３，・・・，ｍ1）とし、注目対象組織を染色しない染色色素から得られた特徴波長候補をＤ2λ（ｊ）（ｊ＝１，２，３，・・・，ｍ2）とする。例えば、実施の形態１で注目対象組織として例示している弾性線維は色素Ｅによって優先的に染色される。このため、色素Ｅに対応する観察分光特性（データセットＡ−０３）から得られた特徴波長候補をＤ1λ（ｋ）とする。また、色素Ｈは弾性線維を染色しない染色色素であるため、色素Ｈに対応する観察分光特性（データセットＡ−０１）から得られた特徴波長候補をＤ2λ（ｋ）とする。
【００５２】
図９に示すように、先ず、特性データ解析部５４３は、特徴波長候補Ｃλ（ｉ）（ｉ＝１，２，３，・・・，ｎ）を特徴波長Ｋλ（ｉ）（ｉ＝１，２，３，・・・，ｎ）に登録する（ステップｂ２１）。続いて、特性データ解析部５４３は、Ｃλ（ｉ）（ｉ＝１，２，３，・・・，ｎ）とＤ2λ（ｊ）（ｊ＝１，２，３，・・・，ｍ2）とを比較し、Ｃλ（ｉ）の各波長が、Ｄ2λ（ｊ）のいずれかの波長と一致しているか判定する。Ｃλ（ｉ）の波長の中に、Ｄ2λ（ｊ）の波長と一致する波長がある場合には（ステップｂ２３：Ｙｅｓ）、特徴波長Ｋλ（ｉ）（ｉ＝１，２，３，・・・，ｎ）から、一致すると判定したＣλ（ｉ）の波長を除外する（ステップｂ２５）。
【００５３】
続いて特性データ解析部５４３は、Ｃλ（ｉ）（ｉ＝１，２，３，・・・，ｎ）とＤ1λ（ｋ）（ｋ＝１，２，３，・・・，ｍ1）とを比較し、Ｄ1λ（ｋ）の各波長が、Ｃλ（ｉ）のいずれかの波長と一致しているか判定する。Ｄ1λ（ｋ）の波長の中に、Ｃλ（ｉ）のいずれの波長とも一致しない波長がある場合には（ステップｂ２７：Ｙｅｓ）、特徴波長Ｋλ（ｉ）（ｉ＝１，２，３，・・・，ｎ）に、一致しないと判定したＤ1λ（ｋ）の波長を追加する（ステップｂ２９）。そして、特性データ解析部５４３は、最終的にＫλ（ｉ）（ｉ＝１，２，３，・・・，ｎ）に登録されたままの波長を特徴波長として決定する。その後、図６のステップａ５にリターンし、ステップａ７に移行する。
【００５４】
なお、特徴波長を決定した後、特徴波長確認画面を表示部５２に表示処理し、決定した特徴波長をユーザに提示する構成としてもよい。図１０は、特徴波長確認画面の一例を示す図である。図１０に示すように、例えば特徴波長確認画面には、観察染色標本の染色標本属性に応じて選択した特性データの観察分光特性がグラフ化されて表示され、決定した特長波長が破線によって示されて識別表示される。ここで、図１０は、注目対象組織を「弾性線維」として選択した特性データの観察分光特性（例えばデータセットＢ−０２）をグラフ化した図であり、観察分光特性として分光透過率を用いた場合を例示している。
【００５５】
また、ここで説明した特徴波長の決定方法は一例であって、これに限定されるものではない。例えば、閾値Ｔｈによる閾値処理を行わずに、波長間変化率が最大となる波長を特徴波長としてもよい。また、各データセットの観察分光特性の主成分分析を予め行い、その主成分分析結果を用いて寄与度が高い波長を特徴波長としてもよい。
【００５６】
あるいは、特性データ選択部５４２によって取得された観察分光特性のデータセット同士を比較し、特徴波長を決定するようにしてもよい。例えば上記のように、観察分光特性のデータセットとして、顕微鏡（観察部３）の焦点位置や絞り等の観察パラメータが異なる複数のデータセットＢ−０１，Ｂ−０２，Ｂ−０３が取得された場合には、これらのデータセットＢ−０１，Ｂ−０２，Ｂ−０３を比較し、特徴波長を決定するようにしてもよい。例えば、取得されたデータセットの組み合わせ（この場合にはＢ−０１とＢ−０２、Ｂ−０１とＢ−０３、Ｂ−０２とＢ−０３の３つの組み合わせ）毎に次の処理を行う。すなわち、各組み合わせそれぞれについて波長毎に観察分光特性の差分を算出する。そして、算出した差分が予め設定される所定の閾値よりも大きい波長を特徴波長として決定する。
【００５７】
続いて、図６のステップａ７について説明する。先ず、システム環境設定部５４４は、前述のようにして決定された特徴波長をもとに観察パラメータおよび撮像パラメータ（システムパラメータ）を設定する。
【００５８】
ここで、撮像パラメータは、マルチバンドカメラの動作に関する値であり、システム環境設定部５４４は、設定した撮像パラメータの値を染色標本画像撮像部３３に通知して染色標本画像撮像部３３に対する動作指示を行う。染色標本画像撮像部３３は、このシステム環境設定部５４４による動作指示に応答し、通知された撮像パラメータに従って、例えばゲインの設定、露光時間の設定、チューナブルフィルタによって選択する波長帯域（選択波長幅）の設定等を行ってマルチバンドカメラを駆動する。
【００５９】
実施の形態１では、システム環境設定部５４４は、この撮像パラメータの１つとして、チューナブルフィルタの選択波長帯域（選択波長幅）を設定する。例えば、特徴波長の前後５〔ｎｍ〕の波長帯域における選択波長幅を、チューナブルフィルタによって選択可能な最小の波長幅である１〔ｎｍ〕に設定する。また、特徴波長の前後５〔ｎｍ〕の波長帯域以外の波長帯域における選択波長幅を、初期値（例えば２５〔ｎｍ〕）に設定する。染色標本画像撮像部３３は、ここで設定される波長帯域毎の選択波長幅に従い、チューナブルフィルタによって選択する波長帯域を順次選択し、選択した波長帯域毎に染色標本画像を撮像する。
【００６０】
また、システム環境設定部５４４は、２つ目の撮像パラメータとして露光時間を設定する。例えば、システム環境設定部５４４は、特性データ選択部５４２が選択した白色画像信号値のデータセット（ここではデータセットＣ−０１）を用い、白色画像信号値の最大値が所定輝度値を持つように露光時間を調整し、特徴波長の前後５〔ｎｍ〕の波長帯域以外の波長帯域における露光時間とする。一方、特徴波長の前後５〔ｎｍ〕の波長帯域における露光時間については、システム環境設定部５４４は先ず、観察部３の染色標本観察部３１や染色標本画像撮像部３３に対する各種動作指示を行い、指定された観察倍率で白色画像信号値を取得する。そして、システム環境設定部５４４は、取得した白色画像信号値を用い、測定波長毎に露光時間を算出する。これによれば、特徴波長付近について、観察時（染色標本画像の撮像時）の環境に応じて露光時間を設定できる。
【００６１】
なお、ここでは、チューナブルフィルタの選択波長帯域（選択波長幅）および露光時間の２つを撮像パラメータとして設定することとしたが、これ以外の設定に関する値についても、必要に応じて適宜撮像パラメータとして設定することができる。
【００６２】
一方、観察パラメータは、顕微鏡の動作に関する値であり、システム環境設定部５４４は、設定した観察パラメータの値を染色標本観察部３１に通知して染色標本観察部３１に対する動作指示を行う。染色標本観察部３１は、このシステム環境設定部５４４による動作指示に応答し、通知された観察パラメータ等に従って例えば対物レンズの観察倍率の切り換えや切り換えた観察倍率等に応じた光源の調光制御、各種光学素子の切り換え、電動ステージの移動等、観察染色標本の観察に伴う顕微鏡各部の調整を行う。
【００６３】
実施の形態１では、システム環境設定部５４４は、この観察パラメータとして、顕微鏡の観察倍率、焦点位置および絞りのとして各値を設定する。
【００６４】
観察倍率については、指定された観察倍率を設定する。焦点位置および絞りについては、決定した特徴波長（Ｋλ（ｉ）の波長）を取得する際に用いた観察分光特性（データセット）に対応する値を特性データ記憶部７から読み出して設定する。例えば、特徴波長Ｋλ（ｉ）が、データセットＢ−０２の観察分光特性から算出された波長間変化率をもとに決定されたのであれば、データセットＢ−０２に対応する図４のレコードＲ２２に示す焦点位置「±ゼロ」および絞り「倍率×０．６」を観察パラメータとして設定する。そして、染色標本観察部３１は、ここで設定された観察パラメータを用い、染色標本画像撮像部３３がこの特徴波長Ｋλ（ｉ）を含む波長帯域で染色標本画像を撮像する際の焦点位置および絞りの値を設定する。
【００６５】
なお、複数の観察分光特性（データセット）が取得された場合であって、特徴波長Ｋλ（ｉ）が、異なるデータセットの観察分光特性をもとに算出された波長間変化率をもとに決定された場合（例えば、特徴波長Ｋλ（ｉ）が、データセットＢ−０１，Ｂ−０２，Ｂ−０３の各観察分光特性からそれぞれ個別に算出された波長間変化率をもとに重複して決定された場合）には、その特徴波長Ｋλ（ｉ）における各観察分光特性から算出された波長間変化率のうち、値が最も大きい波長間変化率を得た観察分光特性（データセット）に対応する焦点位置および絞りを観察パラメータとして設定する。
【００６６】
また、変形例として上記したように、波長間変化率が最大となる波長を特徴波長とする場合には、この波長間変化率の算出に際して参照したデータセットに対応する焦点位置および絞りを特性データ記憶部７から読み出して設定する。また、各データセットの観察分光特性の主成分分析結果を用い、寄与度が最も高い波長を特徴波長とする場合には、この寄与度が最も高い波長を得た主成分分析結果のデータセットに対応する焦点位置および絞りを特性データ記憶部７から読み出して設定する。
【００６７】
また、複数の観察分光特性（データセット）が取得された場合であって、各データセットの組み合わせそれぞれについて波長毎に観察分光特性の差分を算出することで特徴波長を決定した場合であれば、その特徴波長を決定した際に参照した各データセットに対応する焦点位置および絞りをそれぞれ読み出し、指定された観察倍率と併せて２通りの観察パラメータを設定する。例えば、ある波長におけるデータセットＢ−０１とＢ−０２の観察分光特性の差分が大きくその波長が特徴波長として決定された場合には、「データセットＢ−０１に対応する図４のレコードＲ２１に示す焦点位置「−（マイナス）」および絞り「ゼロ」を読み出し、第１の観察パラメータを設定する。さらに、データセットＢ−０２に対応する図４のレコードＲ２２に示す焦点位置「±ゼロ」および絞り「倍率×０．６」を読み出し、第２の観察パラメータを設定する。
【００６８】
また、ここでは、顕微鏡の観察倍率、焦点位置および絞りの３つを観察パラメータとして設定することとしたが、これ以外の設定に関する値についても、必要に応じて適宜観察パラメータとして設定することができる。
【００６９】
以上のようにして設定したシステムパラメータ（観察パラメータおよび撮像パラメータ）は、染色標本属性と対応付けられたシステム設定ファイルとして記憶部５５に記憶しておく。このように設定したシステムパラメータをシステム設定ファイルとして記憶しておくことで、以後同一の染色標本属性および観察倍率の組み合わせが指定された場合に、このシステム設定ファイルを読み出すことでシステムパラメータを設定することが可能となる。
【００７０】
そして、図６のステップａ９において、システム環境設定部５４４は、順次選択波長幅とともに該当する波長帯域における露光時間を染色標本画像撮像部３３に出力するとともに、観察パラメータとして設定した観察倍率、焦点位置および絞りの各値を染色標本観察部３１に出力し、選択波長幅毎に染色標本画像を取得する。取得した染色標本画像の画像データは、記憶部５５に記憶しておく。このとき、変形例として上記したように、観察パラメータとして、第１の観察パラメータおよび第２の観察パラメータの２通りを設定した場合には、システム環境設定部５４４は、第１の観察パラメータおよび第２の観察パラメータを順次染色標本観察部３１に出力し、観察パラメータを異ならせて染色標本画像を２回取得する。すなわち、観察パラメータを第１のパラメータとして染色標本を観察し、マルチバンド撮像した第１の染色標本画像と、観察パラメータを第２のパラメータとして染色標本を観察し、マルチバンド撮像した第２の染色標本画像とを得る。
【００７１】
続いて、図６のステップａ１１の注目対象抽出処理について説明する。図１１は、注目対象抽出処理の詳細な処理手順を示すフローチャートである。図１１に示すように、注目対象抽出処理では、注目対象抽出部５４５は先ず、特徴波長およびこの特徴波長の前後１〔ｎｍ〕の波長での染色標本画像（分光画像）をもとに、変化率分光画像を作成する（ステップｃ１）。「分光画像」とは、染色標本画像のうちの特定の波長における染色標本画像のことをいう。
【００７２】
すなわち先ず、注目対象抽出部５４５は、特徴波長ω〔ｎｍ〕の分光画像と波長ω−１〔ｎｍ〕の分光画像とから変化率分光画像を作成する。具体的には、特徴波長ω〔ｎｍ〕および波長ω−１〔ｎｍ〕における分光画像の画像信号値と白色画像信号値に基づいて、画素毎に対応する染色標本の各点における分光透過率を算出する処理を行う。そして、画素毎に算出した分光透過率を用い、特性データ解析部５４３による算出手順と同様の要領で、上記した式（１）に従い、分光透過率の分光画像間での波長間変化率ｒ（λ）（すなわち、特徴波長ω〔ｎｍ〕，ω−１〔ｎｍ〕間の分光透過率の差分の絶対値）を画素毎に算出する。そして、波長間変化率ｒ（λ）が最大となる画素の画素値を“２５５”、波長間変化率ｒ（λ）がゼロである画素の画素値を“０（ゼロ）”として波長間変化率ｒ（λ）の大きさに応じた画素値を各画素に割り当て、グレースケール画像として変化率分光画像を作成する。また、同様にして特徴波長ω〔ｎｍ〕の分光画像と波長ω＋１〔ｎｍ〕の分光画像とから変化率分光画像を作成する。
【００７３】
そして、注目対象抽出部５４５は、作成した２枚の変化率分光画像を合成し、変化率合成分光画像を作成する（ステップｃ３）。図１２は、変化率合成分光画像の一例を示す図である。この変化率合成分光画像は、波長間変化率ｒ（λ）の大きい画素が強調された画像として得られる。ここで、図９の特徴波長決定処理によって複数の波長が特徴波長として決定されている場合には、ステップｃ１〜ステップｃ３の処理を各特徴波長それぞれについて行い、特徴波長毎に変化率合成分光画像を作成する。そして、作成した特徴波長毎の変化率合成分光画像を合成して１枚の変化率合成分光画像を作成する。また、変形例として上記したように観察パラメータを２通り設定した場合には、第１の染色標本画像および第２の染色標本画像それぞれについて同様の処理を行う。作成した１枚または複数の変化率合成分光画像の画像データは、記憶部５５に記憶しておく。
【００７４】
続いて、注目対象抽出部５４５は、作成した変化率合成分光画像から注目対象組織の領域を抽出し、注目対象画像を作成する（ステップｃ５）。例えば、変化率合成分光画像に対し、平滑化や２値化、エッジ抽出、モフォロジー（膨張・収縮）といった公知の画像処理を適宜選択的に組み合わせて行い、注目対象組織の領域を抽出する。なお、このとき、注目対象組織が核や赤血球等のような特徴的な形状を有する組織の場合には、変化率合成分光画像に対して粒子解析を行い、面積や円形度等のパラメータを求めることとしてもよい。これによれば、注目対象組織の領域をより精度良く抽出できる。作成した注目対象画像のデータは、記憶部５５に記憶しておく。
【００７５】
より詳細には、複数の波長が特徴波長として決定されている場合には、前述のように特徴波長毎の変化率合成分光画像およびこれら特徴波長毎の変化率合成分光画像を１枚に合成した変化率合成分光画像が作成される。また、変形例として上記したように観察パラメータを２通り設定した場合には、２通りの変化率合成分光画像が作成される。このため、注目対象抽出部５４５は、これら複数の変化率合成分光画像を表示部５２に表示処理し、ユーザ操作に従って手動でまたは自動的に１枚の変化率合成分光画像を選択する。そして、注目対象抽出部５４５は、選択した変化率合成分光画像に対してステップｃ５の処理を行い、注目対象画像を作成する。
【００７６】
図１３は、変化率合成分光画像選択画面の一例を示す図である。この変化率合成分光画像選択画面は、複数の変化率合成分光画像が作成された場合に表示部５２に表示される。図１３に示すように、変化率合成分光画像選択画面には、複数の変化率合成分光画像Ｉ２０１が例えばサムネイル形式で並べて表示される。この変化率合成分光画像選択画面は、複数の変化率合成分光画像のうちの１枚を選択画像として表示する画像表示部Ｗ２０１を備え、ユーザ操作に従って手動でまたは自動的に選択した１枚の変化率合成分光画像が拡大表示されるようになっている。
【００７７】
また、変化率合成分光画像選択画面には、複数の変化率合成分光画像から１枚の変化率分光合成画像を手動選択するのか自動選択するのかを択一的に選択可能なラジオボタンＢ２０１，Ｂ２０２や、操作を確定するＯＫボタンＢＴＮ２０１、操作をキャンセルするキャンセルボタンＢＴＮ２０２等が配置されている。
【００７８】
例えば、図１３においてラジオボタンＢ２０１を選択すると、操作部５１を介してカーソルＣＳ２０１を移動させることで複数の変化率合成分光画像のうちの１枚が手動で選択することができるようになっており、カーソルＣＳ２０１によって選択されている変化率合成分光画像が選択画像として画像表示部Ｗ２０１に拡大表示される。一方、ラジオボタンＢ２０２を選択した場合には、複数の変化率合成分光画像のうちの１枚が自動的に選択されて選択された変化率合成分光画像が選択画像として画像表示部Ｗ２０１に拡大表示される。この場合の内部処理としては、注目対象抽出部５４５が、変化率合成分光画像毎に、それぞれ全画素の画素平均値を算出する。そして、注目対象抽出部５４５は、算出した画素平均値が最大となる変化率合成分光画像を選択し、画像表示部Ｗ２０１に表示処理する。ユーザは、画像表示部Ｗ２０１において所望の変化率合成分光画像が選択画像として表示された状態でＯＫボタン２０１を押下操作する。
【００７９】
なお、分光画像や変化率分光画像、変化率合成分光画像を表示部５２に表示して注目対象組織の抽出処理を行うようにしてもよい。そして、変化率合成分光画像に施す２値化処理で用いる閾値の指定や、注目対象組織の領域を抽出するために行う平滑化や２値化、エッジ抽出、モフォロジー（膨張・収縮）等の画像処理の指定を受け付ける構成としてもよい。
【００８０】
図１４は、観察対象組織抽出画面の一例を示す図である。図１４に示すように、観察対象組織抽出画面は、分光画像、変化率分光画像または変化率合成分光画像と、変化率合成分光画像に対して画像処理を施して得られた注目対象画像とを並べて表示する画像表示部Ｗ２１を備え、画像表示部Ｗ２１に向かって左側に表示させる配置分光画像、変化率分光画像または変化率合成分光画像をリストボックスＢ２１で選択できるようになっている。図１４では、リストボックスＢ２１によって変化率合成分光画像が選択されており、画像表示部Ｗ２１の向かって左側にステップｃ１で作成した変化率合成分光画像Ｉ２１が表示され、向かって右側に画像処理後の注目対象画像Ｉ２２が表示される。
【００８１】
また、観察対象組織抽出画面には、コントラストを調整するためのスライダーバーＳ２１や、２値化処理で用いる閾値を指定するためのスライダーバーＳ２２、変化率合成分光画像に施す画像処理を選択するためのチェックボックスＣ２１、操作を確定するＯＫボタンＢＴＮ２１、操作をキャンセルするキャンセルボタンＢＴＮ２２等が配置されている。図１４では、チェックボックスＣ２１として、シード設定、膨張、収縮、エッジ抽出および平滑化を個別に選択するための５つのチェックボックスが配置されている。ここで、シード設定のチェックボックスを選択すると、画像表示部Ｗ２１の注目対象画像Ｉ２２上にポインタＰ２１が表示されるようになっている。例えば、ユーザが、操作部５１を操作して注目対象組織が映る変化率合成分光画像上の位置にポインタＰ２１を移動させ、ＯＫボタンＢＴＮ２１を押下操作したとする。この場合には、例えば、ポインタＰ２１の位置を始点として設定し、分光画像中で始点の画素値と類似する画素値を探索する処理が行われて注目対象組織の領域が抽出される。
【００８２】
このようにすれば、ユーザは、分光画像や変化率分光画像、変化率合成分光画像を見ながら閾値の設定や変化率合成分光画像に施す画像処理を指定することができる。
【００８３】
続いて、図１１に示すように、注目対象抽出部５４５は、染色標本画像の各画素について求めた分光透過率の値をＲＧＢ値に変換し、表示用のＲＧＢ画像（染色標本ＲＧＢ画像）を作成する（ステップｃ７）。ここで、染色標本画像上の点（画素）ｘにおける分光透過率をＴ（ｘ）とするとＲＧＢ値ＧRGB（ｘ）は、次式（６）で表される。
ＧRGB（ｘ）＝ＨＴ（ｘ）      ・・・（６）
【００８４】
ここで、式（６）のＨはシステム行列であり、次式（７）で表される。
Ｈ＝ＦＳＥ      ・・・（７）
【００８５】
Ｆは、チューナブルフィルタの分光透過率である。Ｓは、カメラの分光感度特性であり、観察染色標本の染色標本属性の属性値をもとに選択した施設についての特性データに対応するカメラ分光特性のデータセット（ここでは、データセットＣ−２１）を用いる。Ｅは、単位時間当たりの照明の分光放射特性であり、選択した施設についての特性データに対応する照明分光特性のデータセット（ここでは、データセットＣ−０１）を用いる。染色標本画像の全ての画素位置ｘについて分光透過率の値が算出されているので、画像位置ｘについてＴ（ｘ）をＲＧＢ値に変換する処理を画像全体に亘って反復すれば、撮像したマルチバンド画像と同じ幅と高さを有するＲＧＢ画像が得られる。作成した染色標本ＲＧＢ画像のデータは、記憶部５５に記憶しておく。
【００８６】
そして、注目対象抽出部５４５は、染色標本ＲＧＢ画像上に注目対象画像を重畳させて仮想特殊染色画像を作成する（ステップｃ９）。作成した仮想特殊染色画像のデータは、記憶部５５に記憶しておく。図１５は、仮想特殊染色画像の一例を示す図である。この仮想特殊染色画像は、注目対象組織を染色する特殊染色を標本に施したような画像として得られ、染色標本画像中の注目対象組織の領域を視認性良く判別できる。
【００８７】
なお、ここで説明した領域の抽出方法は一例であって、これに限定されるものではない。例えば、サポートベクターマシン（ＳＶＭ）等の判別器を用い、観察分光特性を特徴量とした学習判別処理によって注目対象組織の画素を抽出することとしてもよい。例えば、注目対象組織の観察分光特性（ここではデータセットＢ−０１等）をもとに波長ω，ω−１間の波長間変化率および波長ω，ω＋１間の波長間変化率をそれぞれ算出し、これらを合成して変化率合成データを得る。そして、ステップｃ３で作成した変化率合成分光画像に対し、得られた変化率合成データを教師データとして学習判別処理を行うことによって、注目対象組織の画素を抽出することとしてもよい。またこのとき、特徴波長のみを有効波長として用いて学習判別処理を行うこととしてもよい。これによれば、次元数を削減でき、判別精度を向上させることができる。
【００８８】
以上説明したように、実施の形態１によれば、予め染色標本属性の属性値毎に測定した分光特性を含む特性データを特性データ記憶部７に記憶しておくことができる。そして、指定された観察染色標本の属性値に応じた特性データを選択し、選択した特性データを解析することによって注目対象組織の特徴波長を決定し、観察染色標本を観察する際の観察部３の動作環境を設定するためのシステムパラメータを設定することができる。このとき、決定した注目対象組織の特徴波長をもとに、染色標本画像を撮像する際のチューナブルフィルタの選択波長帯域（選択波長幅）を設定することができる。具体的には、特徴波長付近において選択波長幅を狭くし、観察時（染色標本画像の撮像時）の実際の環境に応じてシステムパラメータを設定することができる。
【００８９】
結果的に、注目対象組織のスペクトル特徴を精度良く取得できるので、注目対象組織の領域を高精度に抽出可能な染色標本画像を取得するためのシステムパラメータを適切に設定することができる。したがって、観察対象の標本の特徴を取得するために最適なシステム環境を自動的に設定することができ、注目対象組織の領域を観察し易く、診断がし易い染色観察像を取得することができる。
【００９０】
また、設定したシステムパラメータに従って取得された染色標本画像を画像処理し、注目対象組織が映る領域を抽出することができる。そして、注目対象組織の領域とそれ以外の領域とを識別表示した仮想特殊染色画像を作成することができ、例えば標本に施された染色が不十分な場合や、染色ムラがある場合であっても、注目対象組織の領域をその他の組織と視認性良く識別することができる。
【００９１】
従来、注目対象組織の領域の視認がし難い場合には、観察し易い染色標本画像が得られるまで、直接顕微鏡やマルチバンドカメラを操作しながら染色標本画像を繰り返し取得していた。あるいは、取得された染色標本画像の染色が不十分で視認性が悪い場合には、標本に再度染色を施すよう臨床検査技師に依頼していた。ここで、注目対象組織について特徴的な波長を探す作業は、熟練を要し、ユーザの負担が高い。
【００９２】
これに対し、実施の形態１では、ユーザ（病理医）は、顕微鏡やマルチバンドカメラを操作する必要がなく、観察部３が設置された場所とは別の場所で表示部５２に表示された仮想特殊染色画像等を見ながら観察・診断が行える。また、臨床検査技師に再度標本の染色を依頼し、染色をし直すといった工程が必要ない。したがって、ユーザの手間を省き、染色標本画像を取得する際の顕微鏡やマルチバンドカメラの操作といった作業負担を軽減できる。これにより、染色が不十分な場合の診断精度への影響を抑えるとともに、診断に関わる人員の削減や診断時間の短縮化が図れ、コスト削減を実現できる。
【００９３】
なお、上記した実施の形態では、特徴波長を自動的に決定してシステムパラメータを設定し、染色標本画像を取得することとした。これに対し、決定した特徴波長やこの特徴波長を決定する際に用いる上記式（５）の係数ｋをユーザ操作に従って変更可能に構成することとしてもよい。
【００９４】
図１６は、特徴波長変更画面の一例を示す図である。図１６に示す特徴波長変更画面には、特徴波長を変更するためのスライダーバーＳ３１や係数ｋを変更するためのスライダーバーＳ３２、スライダーバーＳ３１やスライダーバーＳ３２での操作を確定するＯＫボタンＢＴＮ３１、操作をキャンセルするキャンセルボタンＢＴＮ３２等が配置されている。また、特徴波長変更画面には、観察染色標本の染色標本属性に応じて選択した特性データの観察分光特性を表す図１６のグラフと同様のグラフＧ３１が表示されている。そして、グラフＧ３１と併せて、現在の特徴波長が破線によって示されている。ここで、染色色素について、撮像パラメータの１つとして設定するチューナブルフィルタの選択波長帯域（選択波長幅）として適切ではない波長が予め定められている場合には、図１６中に一点鎖線で示すように、変更できない波長または波長帯域選択できない波長をグラフＧ３１と併せて示すようにしてもよい。
【００９５】
なお、このとき、決定した特徴波長（Ｋλ（ｉ）の波長）を取得する際に用いた観察分光特性（データセット）に応じて例えば破線の色を変更し、異なる観察分光特性から決定した特徴波長を識別可能に表示することとしてもよい。あるいは、線種を変更して識別表示してもよい。
【００９６】
この特徴波長変更画面において、ユーザは、例えばスライダーバーＳ３１を操作して特徴波長を変更する。あるいは、スライダーバーＳ３２を操作して係数ｋの値を変更する。その後、ＯＫボタンＢＴＮ３１が押下操作されると、スライダーバーＳ３１が操作された場合であればその値を特徴波長として変更し、変更後の特徴波長に従ってグラフＧ３１における特徴波長を示す破線表示が更新される。一方、スライダーバーＳ３２が操作された場合であれば、その値を係数ｋの値として閾値Ｔｈを変更する。そして、この閾値Ｔｈを用いて上記した処理を行い、特徴候補波長を再度取得し、特徴波長を決定し直す。この場合も、変更後の特徴波長に従ってグラフＧ３１における特徴波長を示す破線表示が更新される。
【００９７】
本変形例によれば、ユーザは、観察分光特性のグラフを確認しながら直接特徴波長を調整したり、係数ｋの値を修正することによって特徴波長を調整するといったことが可能となり、システム環境の設定をより適切に行うことができる。
【００９８】
（実施の形態２）
図１７は、実施の形態２の顕微鏡観察システム１ｂの機能構成を示すブロック図である。なお、図１７において、実施の形態１で説明した顕微鏡観察システム１ｂと同一の構成については同一の符号を付して示している。
【００９９】
図１７に示すように、実施の形態２の観察システム制御部５ｂは、操作部５１と、表示部５２と、処理部５４ｂと、記憶部５５ｂとを備える。
【０１００】
処理部５４ｂは、染色標本属性指定部５４１ｂと、特性データラベリング部５４６ｂと、特性データ解析部５４３ｂと、システム環境設定部５４４ｂと、染色標本画像解析部５４７ｂとを含む。
【０１０１】
染色標本属性指定部５４１ｂは、観察染色標本についての染色標本属性の属性値および観察倍率をユーザ操作に従って指定する。実施の形態２では、属性項目の１つである注目対象組織として複数の注目対象組織が指定可能に構成されている。注目対象組織として１つの組織が選択された場合については実施の形態１で説明した。以下では、注目対象組織として２以上の組織が指定された場合に着目して説明する。
【０１０２】
特性データラベリング部５４６ｂは、指定された染色標本属性をもとに、特性データ記憶部７に記憶されている特性データの中から１つ以上の特性データを選択するとともに、指定された２つ以上の注目対象組織に応じて選択した特性データをラベリングする。
【０１０３】
特性データ解析部５４３ｂは、特性データラベリング部５４６ｂによって選択された１つ以上の特性データをもとに、各注目対象組織の特徴波長を決定する。
【０１０４】
システム環境設定部５４４ｂは、特性データ解析部５４３ｂによって決定された各注目対象組織の特徴波長を比較し、特徴波長を含む所定の波長帯域に対して感度が向上するように、システムパラメータを設定する。
【０１０５】
染色標本画像解析部５４７ｂは、染色標本画像撮像部３３が撮像した染色標本画像を画像処理し、この染色標本画像から指定された各注目対象組織が映る領域を個別に抽出する。
【０１０６】
また、記憶部５５ｂには、観察染色標本の染色標本属性をもとにシステムパラメータを設定して観察部３の動作を制御し、染色標本画像を取得する処理を実現するための観察システム制御プログラム５５１ｂが記憶される。
【０１０７】
図１８は、実施の形態２の観察システム制御部５ｂが行う処理手順を示すフローチャートである。なお、ここで説明する処理は、記憶部５５ｂに記憶された観察システム制御プログラム５５１ｂに従って観察システム制御部５ｂの各部が動作することによって実現される。
【０１０８】
先ず、染色標本属性指定部５４１ｂが、染色標本属性指定画面を表示部５２に表示して染色標本属性の指定依頼を通知する処理を行い、操作部５１を介してユーザによる染色標本属性および観察倍率の指定操作を受け付ける（ステップｄ１）。
【０１０９】
図１９は、実施の形態２における染色標本属性指定画面の一例を示す図である。図１９に示す染色標本属性指定画面には、染色種類、臓器、施設の各属性項目の属性値を指定するためのスピンボックスＢ４１，Ｂ４２，Ｂ４４や、注目対象組織の数（注目対象組織数）を指定するためのスピンボックスＢ４３、スピンボックスＢ４３で指定された数の注目対象組織を個別に指定するためのスピンボックスＢ４３１，Ｂ４３２等、観察倍率を指定するためのスピンボックスＢ４５、これらの各スピンボックスでの操作を確定するＯＫボタンＢＴＮ４１、操作をキャンセルするキャンセルボタンＢＴＮ４２、メモ欄Ｍ４１等が配置されている。実施の形態２では、ユーザは、この染色標本属性指定画面において対象注目組織として指定する組織の数を指定するとともに、指定した数の注目対象組織を指定する。なお、図１９では、最大４つの注目対象組織が指定できるようになっているが、指定可能な注目対象組織の数は特に限定されない。
【０１１０】
染色標本属性の属性値が指定されたならば、続いて図１８に示すように、特性データラベリング部５４６ｂが、特性データ記憶部７を参照し、染色標本属性指定部５４１ｂによる指定依頼の通知に応答して指定された染色標本属性に応じた１つ以上の特性データを選択する（ステップｄ３）。特性データの選択は、実施の形態１と同様にして行うことができる。
【０１１１】
そして、特性データラベリング部５４６ｂは、指定された２つ以上の注目対象組織に例えば通し番号を割り振ってラベルを割り当て、各注目対象組織それぞれについて選択した特性データをラベリングする（ステップｄ５）。具体的には、特性データラベリング部５４６ｂは、注目対象組織に応じて選択した特性データに対し、注目対象組織に割り当てたラベルＬn（ｎ＝１，２，３，・・・，注目対象組織数）を付与する。例えば、図１９に例示したように、スピンボックスＢ４３１で１つ目の注目対象組織１として“弾性線維”を選択し、スピンボックスＢ４３２で２つ目の注目対象組織２として“細胞質”を指定した場合には、“弾性線維”をもとに選択した特性データに対してラベルＬ1、“細胞質”をもとに選択した特性データに対してラベルＬ2を付与する。
【０１１２】
続いて特性データ解析部５４３ｂが、ステップｄ３で選択された特性データをもとに、注目対象組織の特徴波長を決定する（ステップｄ７）。特性波長の決定手法については、実施の形態１と同様にして行うことができる。ただしこのとき、注目対象組織毎に特徴波長を決定する。決定した特徴波長は、該当する注目対象組織にラベルＬnと対応付けて記憶部５５ｂに記憶しておく。
【０１１３】
続いてシステム環境設定部５４４ｂが、ステップｄ７で決定された特徴波長をもとに、システムパラメータ（観察パラメータおよび撮像パラメータ）を設定する（ステップｄ９）。システムパラメータの設定手法については、実施の形態１と同様にして行うことができる。ただし、このとき、注目対象組織毎にシステムパラメータを設定する。この結果、注目対象組織毎に決定された特徴波長に従ってチューナブルフィルタの選択波長帯域（選択波長幅）が設定される。設定したシステムパラメータは、該当する注目対象組織を表すラベルＬnと対応付けて記憶部５５ｂに記憶しておく。
【０１１４】
そして、システム環境設定部５４４ｂは、設定したシステムパラメータを観察部３の染色標本観察部３１や染色標本画像撮像部３３に出力して各部に対する動作指示を行う。この結果、観察部３は、システム環境設定部５４４ｂが設定したシステムパラメータに従って動作し、染色標本の観察像をマルチバンド撮像して染色標本画像を取得する（ステップｄ１１）。
【０１１５】
続いて、染色標本画像解析部５４７ｂが、染色標本画像解析処理を行い、染色標本画像を画像処理して染色標本画像中の注目対象組織が映る領域を抽出する（ステップｄ１３）。具体的には、染色標本画像解析部５４７ｂは、各注目対象組織に共通する特徴波長での染色標本画像および異なる特徴波長での染色標本画像をもとに注目対象組織の領域を抽出する。
【０１１６】
図２０は、染色標本画像解析処理の詳細な処理手順を示すフローチャートである。図２０に示すように、染色標本画像解析処理では、染色標本画像解析部５４７ｂは、注目対象組織を順次処理対象とし、各注目対象組織それぞれについてループＡの処理を行う（ステップｅ１〜ステップｅ９）。
【０１１７】
ループＡでは、染色標本画像解析部５４７ｂは先ず、処理対象の注目対象組織の特徴波長およびこの特徴波長の前後１〔ｎｍ〕の波長での染色標本画像（分光画像）をもとに、特徴波長毎の変化率分光画像を作成する（ステップｅ３）。変化率分光画像の作成は、実施の形態１と同様にして行うことができる。
【０１１８】
続いて、染色標本画像解析部５４７ｂは、作成した特徴波長毎の変化率分光画像を合成し、変化率合成分光画像を作成する（ステップｅ５）。変化率合成分光画像を作成は、実施の形態１と同様にして行うことができる。そして、染色標本画像解析部５４７ｂは、特徴波長毎に得られた変化率合成分光画像を合成して全波長変化率合成分光画像を作成する（ステップｅ７）。
【０１１９】
例えば、上記のように“弾性線維”および“細胞質”の２つの注目対象組織が指定され、各注目対象組織にラベルＬ1，Ｌ2が付与された場合を例にとって説明する。ここで、ラベルＬ1が付与された注目対象組織“弾性線維”について決定された特徴波長をΛ１n（ｎ＝１，２，３，・・・）、ラベルＬ2が付与された注目対象組織“細胞質”について決定された特徴波長をΛ２n（ｎ＝１，２，３，・・・）とする。この場合には、ラベルＬ1の注目対象組織“弾性線維”の特徴波長Λ１n（ｎ＝１，２，３，・・・）およびこの特徴波長の前後１〔ｎｍ〕の波長Λ１n±１（ｎ＝１，２，３，・・・）での染色標本画像（分光画像）をもとに、変化率分光画像を作成し、この変化率分光画像をもとに変化率合成分光画像を作成し、全波長変化率合成分光画像を得る。同様に、ラベルＬ2の注目対象組織“細胞質”の特徴波長Λ２n（ｎ＝１，２，３，・・・）およびこの特徴波長の前後１〔ｎｍ〕の波長Λ２n±１（ｎ＝１，２，３，・・・）での染色標本画像（分光画像）をもとに、変化率分光画像を作成し、この変化率分光画像をもとに変化率合成分光画像を作成し、全波長変化率合成分光画像を得る。
【０１２０】
続いて、図２０に示すように、染色標本画像解析部５４７ｂは、注目対象組織毎に得た全波長変化率合成分光画像をもとに、論理差分光画像を作成する（ステップｅ１１）。図２１は、論理差分光画像の作成工程を説明する図である。図２１（ａ）は、ラベルＬ1の注目対象組織“弾性線維”について得た全波長変化率合成分光画像の一例を示している。また、図２１（ｂ）は、ラベルＬ2の注目対象組織“細胞質”について得た全波長変化率合成分光画像の一例を示している。そして、図２１（ｃ）は、（ａ）の全波長変化率合成分光画像および（ｂ）の全波長変化率合成分光画像を合成して得た論理差分光画像の一例を示す図である。
【０１２１】
ここでは、染色標本画像解析部５４７ｂは、ラベルＬ1の注目対象組織“弾性線維”について得た全波長変化率合成分光画像の各画素から、ラベルＬ2の注目対象組織“細胞質”について得た全波長変化率合成分光画像において画素値が予め設定される閾値Ｔ以上である画素の画素値を例えば“０（ゼロ）”とし、論理差分光画像とする。ラベルＬ2の注目対象組織“細胞質”について得た全波長変化率合成分光画像についても、同様に論理差分光画像を作成する。この論理差分光画像を作成することによって、他の注目対象組織の全波長変化率合成分光画像と共通する特徴を除去することによって、各注目対象組織の特徴をより正確に再現できる。この論理差分光画像は、他の注目対象組織で重複しない波長間変化率の大きい画素が強調された画像として得られる。
【０１２２】
続いて、染色標本画像解析部５４７ｂは、作成した注目対象組織毎の論理差分光画像から対応する注目対象組織の領域を抽出し、注目対象画像を作成する（ステップｅ１３）。例えば、論理差分光画像に対し、実施の形態１と同様にして平滑化や２値化、エッジ抽出、モフォロジー（膨張・収縮）といった公知の画像処理を適宜選択的に組み合わせて行い、注目対象組織の領域を抽出する。その後、染色標本画像解析部５４７ｂは、実施の形態１と同様にして染色標本ＲＧＢ画像を作成し（ステップｅ１５）、染色標本ＲＧＢ画像と注目対象画像とを重畳して仮想特殊染色画像を作成する（ステップｅ１７）。例えば、染色標本ＲＧＢ画像と“弾性線維”についての注目対象画像とを重畳した仮想特殊染色画像は、“弾性線維”を染色する特殊染色を標本に施したような画像として得られ、染色標本画像中の“弾性線維”の領域を視認性良く判別できる。“細胞質”についても、同様の仮想特殊染色画像が得られ、染色標本画像中の“細胞質”の領域を視認性良く判別できる。
【０１２３】
以上説明したように、実施の形態２によれば、実施の形態１と同様の効果を奏するとともに、複数の注目対象組織が指定された場合であっても、染色標本画像から各注目対象組織が映る領域を個別に抽出し、各注目対象組織の領域とそれ以外の領域とを識別表示した論理差分光画像を作成することができる。そして、この論理差分光画像によって、各注目対象組織の領域を、他の注目対象組織やその他の組織と視認性良く識別することができる。
【図面の簡単な説明】
【０１２４】
【図１】実施の形態１の顕微鏡観察システムの全体構成を説明する模式図である。
【図２】実施の形態１の顕微鏡観察システムの機能構成を示すブロック図である。
【図３】特性データのデータ構成例を説明する図である。
【図４】特性データのデータ構成例を説明する他の図である。
【図５】特性データのデータ構成例を説明する他の図である。
【図６】実施の形態１の観察システム制御部が行う処理手順を示すフローチャートである。
【図７】実施の形態１における染色標本属性指定画面の一例を示す図である。
【図８】特徴波長候補決定処理の詳細な処理手順を示すフローチャートである。
【図９】特徴波長決定処理の詳細な処理手順を示すフローチャートである。
【図１０】特徴波長確認画面の一例を示す図である。
【図１１】注目対象抽出処理の詳細な処理手順を示すフローチャートである。
【図１２】変化率合成分光画像の一例を示す図である。
【図１３】変化率合成分光画像選択画面の一例を示す図である。
【図１４】観察対象組織抽出画面の一例を示す図である。
【図１５】仮想特殊染色画像の一例を示す図である。
【図１６】特徴波長変更画面の一例を示す図である。
【図１７】実施の形態２の顕微鏡観察システムの機能構成を示すブロック図である。
【図１８】実施の形態２の観察システム制御部が行う処理手順を示すフローチャートである。
【図１９】実施の形態２における染色標本属性指定画面の一例を示す図である。
【図２０】染色標本画像解析処理の詳細な処理手順を示すフローチャートである。
【図２１】論理差分光画像の作成処理を説明する図である。
【符号の説明】
【０１２５】
１，１ｂ      顕微鏡観察システム
３      観察部
３１      染色標本観察部
３３      染色標本画像撮像部
５，５ｂ      観察システム制御部
５１      操作部
５２      表示部
５４，５４ｂ      処理部
５４１，５４１ｂ      染色標本属性指定部
５４２      特性データ選択部
５４３，５４３ｂ      特性データ解析部
５４４，５４４ｂ      システム環境設定部
５４５      注目対象抽出部
５４６ｂ      特性データラベリング部
５４７ｂ      染色標本画像解析部
５５，５５ｂ      記憶部
５５１，５５１ｂ      観察システム制御プログラム
７      特性データ記憶部
【図１】
2010181833.tif 000006
【図２】
2010181833.tif 000007
【図３】
2010181833.tif 000008
【図４】
2010181833.tif 000009
【図５】
2010181833.tif 000010
【図６】
2010181833.tif 000011
【図７】
2010181833.tif 000012
【図８】
2010181833.tif 000013
【図９】
2010181833.tif 000014
【図１０】
2010181833.tif 000015
【図１１】
2010181833.tif 000016
【図１２】
2010181833.tif 000017
【図１３】
2010181833.tif 000018
【図１４】
2010181833.tif 000019
【図１６】
2010181833.tif 000020
【図１７】
2010181833.tif 000021
【図１８】
2010181833.tif 000022
【図１９】
2010181833.tif 000023
【図２０】
2010181833.tif 000024
【図２１】
2010181833.tif 000025
【図１５】
2010181833.tif 000026